(57)【要約】【課題】電気的接触が安定し、且つ容易に回路板上から取り外すことができるスピーカーコネクタを提供する。【解決手段】絶縁本体と少なくとも２つの導電端子を含む。該導電端子が保持部と、保持部の上端から一側に沿って湾曲した後、更に反対に湾曲して延伸して形成される弾性圧縮部と、該弾性圧縮部の一側から外向きに延伸する第１接触部と、保持部の下端から延伸し湾曲状を呈する弾性部と、弾性部の末端から下向きに延伸する第２接触部とを有する。保持部と弾性部は絶縁本体の端子溝内に配置され、第２接触部が下向きに絶縁本体外に突出される。第１接触部の末端が上向きに湾曲し更に下向きに湾曲し第１接触頭を形成し、該第１接触頭が上向きに絶縁本体を延伸する。該スピーカーコネクタは、直接回路板に弾性抵触する方式を採用し組み立ててなり、本考案のスピーカーコネクタの組み立ては簡単且つ容易に回路板上から取り外すことができる。【選択図】図１
0003139068.tif 000002
【実用新案登録請求の範囲】
【請求項１】
絶縁本体と少なくとも２つの導電端子を含み、
該絶縁本体は、基台を有し、基台が底面と上面を有し、該基台の上面の中部に下に向かって凹溝を開設し、凹溝の底壁の両側に下向きに該絶縁本体を貫通する端子溝を開設してなり、
該少なくとも２つの導電端子は、前記端子溝内に挿入され、該導電端子は、直立板状を呈する保持部と、保持部の上端から一側に沿って湾曲した後、更に反対に湾曲して延伸して形成される弾性圧縮部と、該弾性圧縮部の一側から外部に向かって延伸する第１接触部と、保持部の下端から延伸し湾曲状を呈する弾性部と、弾性部の末端から下向きに延伸する第２接触部とを有してなり、
保持部と弾性部は絶縁本体の端子溝内に配置され、第２接触部が下向きに絶縁本体外に突出し、弾性圧縮部が絶縁本体の凹溝内に配置され、第１接触部の末端が上向きに湾曲し更に下向きに湾曲し第１接触頭を形成し、且つ該第１接触頭が上向きに絶縁本体を延伸してなるスピーカーコネクタ。
【請求項２】
前記基台の底面が下向きに２つの角柱状の凸リブを延伸し、該端子溝が下向きに該凸リブを貫通し、前記第２接触部が下向きに該凸リブを延伸してなる請求項１記載のスピーカーコネクタ。
【請求項３】
前記凸リブ下端は、前記端子溝内に向かって支持アームを突出し、前記導電端子の弾性部の末端が該支持アーム上に抵触してなる請求項２記載のスピーカーコネクタ。
【請求項４】
前記２つの電子溝の間において、凹溝の底壁が上向きに凸台を延伸し、該凸台の上面が下向きに係合溝を設けてなり、弾性圧縮部上の下向きにフックを湾曲して延伸し、該フックが該係合溝内に係合してなる請求項１記載のスピーカーコネクタ。
【請求項５】
前記導電端子の弾性圧縮部が凸台上に抵触してなる請求項４記載のスピーカーコネクタ。
【考案の詳細な説明】
【技術分野】
【０００１】
本考案は、コネクタに関し、スピーカーコネクタに関する。
【背景技術】
【０００２】
近年より、携帯電話、ＰＤＡ、ＭＰ３、ノートパソコン等の消耗電子製品が幅広く応用され、これらの消耗電子製品は、通常、スピーカーを有し、音声を発生する。消耗電子製品上のスピーカーは、スピーカーコネクタによって消耗電子製品上の回路板に電機接続する。
【０００３】
従来のスピーカーは通常、溶接の方式を採用し、導電端子を回路板上に溶接するので、スピーカーコネクタを回路板上に溶接した後、スピーカーコネクタが回路板上から取り外すことが困難であり、且つ取り外したスピーカーコネクタも二次利用できず、浪費となり、使用時間の増加に従い、スピーカーコネクタの導電端子の溶接箇所が回路板と離脱し易く、電気的接触不良を起こす。
【特許文献１】特開２０００−９９０４１号公報
【考案の開示】
【考案が解決しようとする課題】
【０００４】
本考案の目的は、前記従来技術に存在する欠陥を克服し、電気的接触が安定しており、且つ容易に回路板上から取り外すことができるスピーカーコネクタを提供することである。
【課題を解決するための手段】
【０００５】
上記の目的を達成するため、本考案のスピーカーコネクタは、絶縁本体と少なくとも２つの導電端子を含む。該絶縁本体は基台を有し、基台が底面と上面を有し、該基台の上面の中部に下に向かって凹溝を開設し、凹溝の底壁の両側に下向きに該絶縁本体を貫通する端子溝を開設する。該導電端子が前記端子溝内に挿入され、直立板状を呈する保持部と、保持部の上端から一側に沿って湾曲した後、更に反対に湾曲して延伸して形成される弾性圧縮部と、該弾性圧縮部の一側から外部に向かって延伸する第１接触部と、保持部の下端から延伸し湾曲状を呈する弾性部と、弾性部の末端から下向きに延伸する第２接触部とを有する。保持部と弾性部は絶縁本体の端子溝内に配置され、第２接触部が下向きに絶縁本体外に突出し、弾性圧縮部が絶縁本体の凹溝内に配置され、第１接触部の末端が上向きに湾曲し更に下向きに湾曲し第１接触頭を形成し、且つ該第１接触頭が上向きに絶縁本体を延伸してなる。
【考案の効果】
【０００６】
本考案のスピーカーコネクタは導電端子の第１接触部と弾性部が提供する弾性力によって導電端子が終始２つの回路板と安定した弾性抵触状態を確保し、２つの回路板の間に電気信号の伝送を確保する。また、該スピーカーコネクタは、直接回路板に弾性抵触する方式を採用し組み立て、溶接によって固定する必要がなく、本考案のスピーカーコネクタの組み立ては簡単且つ容易に回路板上から取り外すことができる。
【考案を実施するための最良の形態】
【０００７】
図１において、本考案のスピーカーコネクタ１は、絶縁本体１０および1対の導電端子２０を含む。
【０００８】
図１および図４において、絶縁本体１０は、柱体状を呈する基台１１を有する。基台１１の底面が下向きに２つの角柱状を呈する凸リブ１２を延伸してなる。基台１１の上面は、傾斜面であり、該上面は、上向きに４つの対称に配列された凸柱１３を延伸してなる。該基台１１の上面の中部は、下向きに凹溝１１１を開設してなる。凹溝１１１の底壁の両側は、下向きに基台１１と凸リブ１２を貫通する端子溝１１２を開設してなる。２つの端子溝１１２の間において、凹溝１１１の底壁が上向きに凸台１１３を延伸し、該凸台１１３の上面は、下向きに２つの係合溝１１４を開設してなる。凸リブ１２の下端は、端子溝１１２内に向かって支持アーム１２１を突出してなる。
【０００９】
保持部２１の下端には、湾曲状を呈する弾性部２５を接続してなる。弾性部２５末端の下端には、下向きに板状を呈する第２接触部２６を延伸してなる。該第２接触部２６の末端には孤形を呈する第２接触頭２６１を形成してなる。
【００１０】
図２および図３において、導電端子２０の保持部２１および弾性部２５が端子溝１１２内に挿入され、弾性部２５の末端が凸リブ１２の支持アーム１２１上に抵触され、第２接触部２６の第２接触頭２６１が端子溝１１２内から凸リブ１２外に突出し電子製品の回路板と係合される。弾性圧縮部２２が凹溝１１１内に配置され、該弾性圧縮部２２の上部が凸台１１３上に係合され、且つフック２３が係合溝１１４内に係合される。第１接触部２４の第１接触頭２４１が基台１１上面の上方に配置され、スピーカー上の回路板と係合される。
【００１１】
上記のように、本考案のスピーカーコネクタ１は導電端子２０の第１接触頭２４１によってスピーカー上の回路板と弾性接触し、第２接触頭２６１が電子製品の回路板と接触し、回路板の間の電気信号接続を達成する。同時に、本考案のスピーカーコネクタ１は導電端子２０の第１接触部２４および弾性部２５が提供する弾力によって導電端子２０が終始回路板と接触する箇所で安定した弾性抵触状態を確保し、２つの回路板の間に電気信号の伝送を確保する。該スピーカーコネクタは、直接回路板に弾性接触する方式を採用して組み立て、溶接を介して固定する必要がないので、本考案のスピーカーコネクタ１の組み立ては簡単であり、且つ該スピーカーコネクタ１と回路板の間の取り外しが容易であり、個別の部材の失効により、スピーカーコネクタ１全部を交換する必要がなく、コストを低減する効果を達成する。
【図面の簡単な説明】
【００１２】
【図１】本考案のスピーカーコネクタの立体分解図である。
【図２】本考案のスピーカーコネクタの立体組み立て図である。
【図３】本考案のスピーカーコネクタの断面図である。
【図４】本考案のスピーカーコネクタの絶縁本体の断面図である。
【符号の説明】
【００１３】
１  スピーカーコネクタ
１０  絶縁本体
１１  基台
１１１  凹溝
１１２  端子溝
１１３  凸台
１１４  係合溝
１２  凸リブ
１２１  支持アーム
１３  凸柱
２０  導電端子
２１  保持部
２２  弾性圧縮部
２３  フック
３４  第１接触部
２４１  第１接触頭
２５  弾性部
２６  第２接触部
２６１  第２接触頭
【図１】
0003139068.tif 000003
【図２】
0003139068.tif 000004
【図３】
0003139068.tif 000005
【図４】
0003139068.tif 000006